Podtech/llm-jp-corpus-v4-ja_patent huggingface dataset:
(57)【要約】【課題】従来の義歯の非破壊検査は、Ｘ線や超音波による方法が提案されているが、正しく評価できないのが現状である。さらに、義歯の修理や裏装を含む義歯の経年変化は、装着者の口腔内の状態や問診・視診によって判断するため、客観的評価方法、特に非侵襲でかつ同時的に義歯表面および内部の画像を取得することが課題であった。【解決手段】そこで、この発明はＯＣＴを利用した、安価で即時に評価できる装置およびその方法であり、義歯内部の損傷を画像により取得し、歯科診療に資するものであり、義歯製作時、もしくは装着の調整などの場において、本手法により義歯の３次元イメージ画像を撮像し、評価を行う。【選択図】図１
2009131314.tif 000002
【特許請求の範囲】
【請求項１】
ＯＣＴを用いて義歯内部の気泡および損傷を非破壊検査する方法。
【請求項２】
ＯＣＴを用いて口腔内において装着した状態で，義歯粘膜面と口腔粘膜の適合性を評価する方法。
【請求項３】
請求項１に記載の方法を用いて，使用中で義歯粘膜面の裏装または修理後の義歯の損傷の進行を評価する方法。
【発明の詳細な説明】
【技術分野】
【０００１】
本発明は、ＯＣＴを用いて義歯内部の空隙（気泡）や亀裂等の損傷、および、経時的な進行状態を非破壊検査することと、義歯粘膜面と口腔粘膜の適合性を評価する装置および測定方法に関する。
【背景技術】
【０００２】
我が国では、毎年約８００万個と多くの義歯が新製され、患者の口腔に装着されている。義歯使用者のＱＯＬの向上の視点から、義歯の状態や義歯粘膜面の適合性を正確に把握することは、口腔機能を回復する上で重要な要素である。特に義歯の亀裂や空隙（気泡）は義歯破折の原因や細菌繁殖の温床となりやすいことから、完成義歯を破壊することなく、非接触、非侵襲である非破壊検査により義歯内部の損傷を客観的に測定する装置が求められている。
【０００３】
これらの義歯の評価には、特許文献１のような超音波を用いた方法が提案されているが、画像分解能が低いために微小欠陥を検出できない欠点がある。
【０００４】
また、Ｘ線撮影を用いた場合、Ｘ線透過性の高いレジンから構成される義歯内部は評価できない。さらに、被爆の危険性があるため、別室で撮影しなければならず、経過観察や治療処置をその場で同時に診断等に頻繁に活用できないという問題点があった。
【０００５】
さらに超音波やＸ線撮影の場合、プローブの小型化が困難であり、口腔内への適用が極めて困難である。
【０００６】
非特許文献１には非接触、非侵襲で測定対象物内部が撮像できる光干渉断層画像診断法（Optical Coherence Tomography：以下、単にＯＣＴという）による診断装置が提案されている。
【０００７】
また、特許文献２では、歯科用の装置にＯＣＴを適用するプローブと装置が提案されており、同時診断の可能性が示唆されている。
【特許文献１】特公２００１−５０４３７９
【非特許文献１】DAVID HUANG et al. “Optical Coherence Tomography” SCIENCE, NOVEMBER 1991 VOL. 254 PP1178-1181
【特許文献２】特開２００６−１３２９９５
【特許文献３】実用新案公開平５−３７２１６
【発明の開示】
【発明が解決しようとする課題】
【０００８】
従来、義歯の評価については、実用新案文献１のようなＸ線検査が提案されているものの、装置が高価であることやＸ線遮蔽が困難であることから普及していない。
【０００９】
また、義歯粘膜面と粘膜面の適合性を検査することは、快適な装着を保障するとともに、義歯がカンジダやＭＲＳＡなど有害な微生物のリザーバー（温床）となることから重要であり、特許文献３のような薬品を用いた空隙測定のほか、圧力測定による方法などが提案されているものの、装着時の状態を再現できないため、義歯装着時の臨床的評価を正しく評価できない。
【００１０】
さらに、義歯の修理や裏装を含む義歯の経年変化は、装着者の口腔内の状態や問診・視診によって判断するため、臨床的に使用できる客観的評価方法が無く、その評価が困難であった。特に、非侵襲でかつ同時的に義歯表面および内部の画像を取得することが課題であった。
【課題を解決するための手段】
【００１１】
そこで、この発明はＯＣＴを利用した安価で即時に評価できる装置およびその方法であり、義歯内部の損傷を画像により取得し、歯科診療に資するものである。
【００１２】
義歯製作時、もしくは装着の調整などの場において、本手法により義歯の３次元イメージ画像を撮像し、評価を行う。
【００１３】
本発明は、ＯＣＴを用いて義歯内部の空隙（気泡）や亀裂等の損傷、および、経時的な進行状態を非破壊検査することと、義歯粘膜面と口腔粘膜の適合性を評価する装置および測定方法に関するものであり、本発明の装置を歯科技工所、もしくは、歯科病院に設置し、義歯重合技術の向上を図り、義歯製作や調整時に、その都度、３次元イメージ画像を撮像し測定・評価を行い、歯科治療、および、口腔粘膜との適合性の評価、ならびに歯科技工専門学校や大学において、高度な歯科技工士を育成する教材として利用する可能性を有する。
【発明の効果】
【００１４】
患者への適切な義歯の提供が行えるため、快適な装着環境を提供できるほか、義歯に起因もしくは遠因する疾患の抑制につながり、ＱＯＬの向上に資することができる。
【００１５】
また、義歯製作時の非破壊検査が可能となるために、重合方法の向上が期待され、製品としての義歯の不良化率の低減や、診療時間の迅速化が可能となる。
【発明を実施するための最良の形態】
【００１６】
本発明の装置を歯科技工所、もしくは、歯科病院に設置し、義歯製作や調整時に、その都度、３次元イメージ画像を撮像し測定・評価を行う。
【００１７】
また、口腔内において装着状態を評価するために、義歯低と粘膜面の３次元イメージ画像を撮像し測定・評価を行う。
【産業上の利用可能性】
【００１８】
以下に本発明の実施の形態によって本発明を詳細に説明するが、本発明はこれらの実施の形態により何ら制限されるものではない。
【００１９】
第１の実施の形態：
本発明の装置は、取り扱いが容易で義歯や人体に対して負荷がなく、義歯および装着状態を最適に評価するために不可欠なものであり、歯科治療、および、軟組織に関する病理診断技術として必要不可欠となる。
【００２０】
第２の実施の形態：
また、本装置を歯科技工専門学校や大学において、高度な歯科技工士を育成する教材として利用する可能性を有する。
【図面の簡単な説明】
【００２１】
【図１】本発明の第１、２の実施の形態に係る歯科教材システムの構成を示す構成図
【図１】
2009131314.tif 000003
(57)【要約】【課題】  洋式便器に座って、日常の排泄行為をするだけで採尿できる採尿袋セットを提供する。【解決手段】  底部にマチを設け、開口部の前面にはワイヤー入りビニールひも、すぐ下にジッパーさらに中腹部にワイヤー入りビニールひもをそれぞれ順番に平行に取り付けた採尿用ポリ袋を、長方形小タオル大ポリビニールの片面を折り曲げて作った状差し様ポケットに開口部の後面に貼り付けて収納し、洋式便器にセット後開口部を大きく開いて集尿させる取り外し可能な採尿袋セット。【選択図】図１
2009198473.tif 000002
【特許請求の範囲】
【請求項１】
底部にマチを設け、開口部前面にワイヤー入りビニールひも、ジッパー、さらに中腹部に、ワイヤー入りビニールひもを取り付けた採尿用ポリ袋を、状差し様ポリビニールのポケットの中に収め、開口部の後面に両面テープで貼り付けて、尿集と取り外し可能にしたことを特徴とする採尿袋セット。
【発明の詳細な説明】
【技術分野】
【０００１】  本発明は長方形小タオル大ポリビニールの片面を折り曲げて作った状差し様ポケットの中に、底部にマチを設け、開口部前面にワイヤー入りビニールひも、すぐ下にジッパーそしてさらに中腹部にワイヤー入りビニールひもをそれぞれ順番に平行に取り付けた採尿用ポリ袋を、尿集と取り外しを可能にするための両面テープを開口部後面に貼り付けて収めた採尿袋セットに関するものである。
【背景技術】
【０００２】  従来、採尿の際は尿コップを直接外陰部にあてて排尿終了まで手で把持する必要があった。また尿パックを直接外陰部に貼り付けて採尿している。
【発明の開示】
【発明が解決しようとする課題】
【０００３】  そのために、次のような問題点があった。
健常者でも、自分の外陰部に正確にコップを当てたまま、排尿終了まで手で把持し続けることや排尿後にコップをはずして、確実に尿をこぼさずに手元まで持ってくることは慣れるまではかなり難しい行為である。障害者や幼児年少者や高齢者にとって尚更困難で不可能なことが多く介助を要する。
尿パックの場合、よれたり剥がれたりして失敗することも多く、また自分が自分の外陰部に貼りつけ採尿することは困難である。直接肌にあたることで、気持ちも悪い。従来の方法だと、本人と介助者にとって非効率的行為で、これを繰り返す蓄尿の場合は尚更大変であり、蓄尿中に外出しなければならない時は採取尿を他の尿器に移し変える必要もあり面倒である。
本発明は洋式便器に座ることのできる方で、中間尿採取の指示の無い方を対象として以上の問題点を解決しようとするものである。
【課題を解決するための手段】
【０００４】  底部にマチを設け、開口部前面にワイヤー入りビニールひも、ジッパーそして中腹部にもワイヤー入りビニールひもをそれぞれ順番に平行に取り付けた採尿用ポリ袋を、状差し様ポリビニールのポケットの中に収めて、開口部後面に両面テープで貼り付け、尿集と取り外しを可能にしたことを特徴とする採尿袋セットである。
【発明の効果】
【０００５】  本発明の採尿袋セットは、従来のように手で尿コップを把持する必要もなく又  尿パックを外陰部に貼り付ける必要も無い。便器にセット後は便座にすわり排尿することで簡単に採尿できる。採尿用ポリ袋は両面テープを離して取り出すが、トイレ底面に貯留している汚水にも触れず、しかも安定して置け、ジッパーを閉めて清潔に保管できる。
【発明を実施するための最良の形態】
【０００６】  以下、本発明の実施の形態を説明する。
（イ）長方形小タオル大の平面ポリビニールを縦に置き、下方を折り曲げて両側を貼り合わせ状差し様にした採尿袋入れ（１）のポケットはゆったりと作る。そのポケットの反対側である上方の２箇所の角の裏面に、固定用のりシール（２）を取り付ける。
（ロ）上記採尿袋入れ（１）のポケットに収める採尿用ポリ袋（３）は底部にマチ（４）を設け、開口部の前面にワイヤー入りビニールひも（５）と、すぐ下にジッパー（６）さらに中腹部にもワイヤー入りビニールひも（５）を順番に平行にとりつける。
（ハ）開口部の後面には両面テープ（７）で隙間なく貼り付ける。
本発明は以上の構成よりなっている。
使用する時は上記の採尿袋セット（１）と（３）を便座手前の上からかぶせるようにセットしてから採尿袋入れ（１）のポケットと反対側にある上方の２箇所ののりシール（２）をはがして便器外面に貼り付け固定する。
便器内面のカーブに沿って採尿袋入れ（１）のポリビニール面をフィットさせながらセットし採尿用ポリ袋（３）の開口部前面と中腹部のワイヤー入りビニールひも（５）を活用して最大限に開き外陰部の方向に向ける。
尿は便器内面のポリビニール面にあたり下方に沿って流れ採尿用ポリ袋（３）開口部に集尿される。本発明を便座と便器より取り外し、さらに採尿袋（３）の両面テープ（７）を離して、ジッパー（６）を閉めて保管する。一部尿を破棄する場合は採尿袋（３）を傾け捨てる。
採尿袋入れ（１）のポケットのなかに収められた採尿袋（３）はトイレ底面の水に触れず汚染されない。
採尿袋は１回排泄量に十分対応可能な５００〜８００ｍｌの大きさである。
尿の計測が不必要なときは目盛りなしの袋で事足りて、より安価となる。
【図面の簡単な説明】
【０００７】
【図１】  本発明の分解斜視図
【図２】  本発明の正面図
【図３】  Ａ−Ａ断面図
【符号の説明】
【０００８】    １  採尿袋入れ
２  のりつきシール
３  採尿用ポリ袋
４  底マチ
５  ワイヤー入りビニールひも
６  ジッパー
７  両面テープ
【図１】
2009198473.tif 000003
【図２】
2009198473.tif 000004
【図３】
2009198473.tif 000005
(57)【要約】【課題】開栓時導水管に残っていた水の大部分をボイラー近くまで逆流させ、ボイラーから流出してきた熱湯と合流させてから蛇口方向に流すことによって、水道水とガスの無駄遣いを少なくする、ボイラーからの導水管を二重構造にすることによる冷水量減少装置を提供する。【解決手段】ボイラーから蛇口までの導水管を外側管・中央管の二重構造にし、ボイラー側に外側管・中央管仕切り板と逆流水仕切り板を設け、蛇口直近に逆流水取り入れ口を設けることを特徴とする、導水管二重構造式冷水量減少装置。【選択図】図２
2009198150.tif 000002
【特許請求の範囲】
【請求項１】
ボイラーから蛇口までの導水管を外側管・中央管の二重構造にし、ボイラー側に外側管・中央管仕切り板と逆流水仕切り板を設け、蛇口直近に逆流水取り入れ口を設けることを特徴とする、導水管二重構造式冷水量減少装置。
【発明の詳細な説明】
【技術分野】
【０００１】  本発明はボイラーから蛇口までの導水管を二重構造にして、蛇口を開く直前に管の中にあった水の大部分をボイラー近くまで逆流させ、ボイラーから流れくる熱湯と合流させ、蛇口方向に流す、ボイラーからの導水管を二重構造にすることによる冷水量減少装置に関するものである。
【背景技術】
【０００２】    従来のボイラーは蛇口開栓時導水管に残っていた冷水が先に放出され、その後で温水が出るという構造になっていた。
【発明の開示】
【発明が解決しようとする課題】
【０００３】  その為に次のような問題点があった。
（イ）導水管に残っていた冷たい水を全部押し出してからでないと熱い湯が出てこなか    った。
（ロ）温水が出るまでに時間がかかり、水とガスを無駄に捨てていた。
（ハ）この無駄使いを全国規模で考えれば膨大な資源浪費である。
本発明はこれらの問題点を解決する為になされたものである。
【課題を解決するための手段】
【０００４】  ボイラーから蛇口までの導水管を外側管・中央管の二重構造にし、ボイラー側に外側管・中央管仕切り板と逆流水仕切り板を設け、蛇口直近に逆流水取り入れ口を設ける。
以上を特徴とする、導水管二重構造式冷水量減少装置である。
【発明の効果】
【０００５】  本発明は蛇口を開いてもなかなか温水が出てこないといういらいらの解消と、時間と水とガスの無駄遣いを減らすことができる。
【発明を実施するための最良の形態】
【０００６】  以下本発明の実施の形態を説明する。
ボイラーから蛇口までの導水管を外側管・中央管の二重構造にし、ボイラー側に外側管・中央管仕切り板と逆流水仕切り板を設け、蛇口直近に逆流水取り入れ口を設ける。以上を特徴とする導水管二重構造式冷水量減少装置である。本発明は以上のような構成であり、これを使用する時は、
（イ）蛇口を開くとボイラーから熱湯が放出される。この熱湯は外側管・中央仕切り板（１）に遮られ、その一部が中央管（２）に流れ込む。
（ロ）蛇口を開く直前まで管の中に残っていた水の一部は蛇口に向かうが、大部分は逆流水取り入れ口（３）より外側管（４）に入ってボイラー方向に逆流する。
（ハ）この逆流してきた水は逆流水仕切り版（５）によってより外側に押し上げられた後、逆流水放出口（６）より中央管（２）に放出される。
（ニ）この放出された水は、ボイラーからの熱湯に押されて蛇口方向に向かう。
（ホ）この蛇口に向かった水の一部はまた逆流水取り入れ口（３）よりボイラー方向に向かう。このように蛇口に向かう水の一部は循環を繰り返すことになる。
【図面の簡単な説明】
【０００７】
【図１】本発明の原理図
【図２】本発明の斜視図
【符号の説明】
【０００８】１  外側管・中央管仕切り板
２  中央管
３  逆流水取り入れ口
４  外側管
５  逆流水仕切り板
６  逆流水放出口
【図１】
2009198150.tif 000003
【図２】
2009198150.tif 000004
(57)【要約】      （修正有）【課題】敵の強力な火力から戦車を防御しながらも、装甲が厚く重くなりすぎる事のない、装甲の構造を提供する。【解決手段】２個のブロック状の複合装甲とつるまきバネを使ってカスタネットの様に組み立て、さらに装甲表面にテフロン加工して、敵弾が新装甲に当たると後に倒れて、トモエ投げの様に、はじき飛ばす事で、質量増加を迎えて、装甲を強化できる。このブロックをリアクティブアーマーの様に戦車に取り付けることで、敵の強力な火力から戦車を防御しながらも、装甲が厚く重くなりすぎる事のない、装甲を実現できる。【選択図】図１
2009198151.tif 000002
【特許請求の範囲】
【請求項１】
ブロック形の防弾鋼板もしくは複合装甲を２枚貝の様に２個をバネで止めて、トモエ投げの様に、水面が平べったい石をはじく様に敵弾をはじく構造の新装甲。
【発明の詳細な説明】
【技術分野】
【０００１】柔道のトモエ投げや、水面が石をはじく事を応用したものである。
【発明の開示】
【発明が解決しようとする課題】
【０００２】敵の強力な火力から戦車を防御するには、それなりの厚さの装甲が必要だが、それでは総重量が重くなりすぎてしまう。重くなりすぎる点が難問だった。
【課題を解決するための手段】
【０００３】そこで、２個のブロック状の複合装甲に穴を開けて、つるまき状バネを３個、手前、中、奥にうめ込んでカスタネットの様に組み立て、さらに装甲表面にテフロン加工を施こし、敵弾が新装甲に当たると後に倒れて、トモエ投げの様にはじき飛ばす事で、あまり重量を増加させる事なく装甲を強化出来るのである。このブロックをリアクティブアーマーの様に戦車の表面に取り付ける。
【発明の効果】
【０００４】この発明は構造が単純なので、技術的な課題がなく、すぐに製作出来て、量産効果で、安く、強力な装甲を手に入れる事が出来、国防に寄与します。
【発明の実施するための最良の形態】
【０００５】技本と（公序良俗違反につき、不掲載）からメンバーを選抜し、複合装甲の組み合わせと厚み、そしてバネの材質とバネ定数ｋの最適値を求め、速やかに実用化する。製造元は（公序良俗違反につき、不掲載）がベストだ！！
【実施例】
【０００６】テストには私自身も時々参加したい。完成したらパテントを（公序良俗違反につき、不掲載）に買ってもらい、量産に入る。（色々なアイデアを持っているので、良いアドバイスが出来るのである。）
【図面の簡単な説明】
【０００７】
【図１】側面図
【図２】上面図
【符号の説明】
【０００８】［Ａ］複合装甲もしくは防弾鋼板
［Ｂ］うめ込まれた、つるまき状バネ
［Ｃ］複合装甲表面のテフロン加工層
【図１】
2009198151.tif 000003
【図２】
2009198151.tif 000004
(57)【要約】【課題】熱交換器のシールド板の外れを防止する。【解決手段】機器本体と、この機器本体に設けたＬＥＤ、ランプなどからなる発光体１０と、前記発光体を覆う透明の化粧カバー９とを備え、かつこの化粧カバー９の前記発光体１０と対向する表示部１６の裏面はシボ形状とし、この表示部１６を前記化粧カバー９成型時のエジェクトピン突き当て位置とし、前記化粧カバーは、断面コの字形に形成し、前面パネルに嵌合して取り付けられ、化粧カバーの上下両端の肉厚部も前記化粧カバー成型時のエジェクトピンの突き当て位置としたものである。【選択図】図４
2009198104.tif 000002
【特許請求の範囲】
【請求項１】
機器本体と、この機器本体に設けたＬＥＤ、ランプなどからなる発光体と、前記発光体を覆う透明の化粧カバーとを備え、かつこの化粧カバーの前記発光体と対向する表示部の裏面はシボ形状とし、この表示部を前記化粧カバー成型時のエジェクトピン突き当て位置としたことを特徴とする空気調和機。
【請求項２】
前記化粧カバーは、断面コの字形に形成し、前面パネルに嵌合して取り付けられ、化粧カバーの上下両端の肉厚部も前記化粧カバー成型時のエジェクトピンの突き当て位置としたことを特徴とする請求項１記載の空気調和機。
【発明の詳細な説明】
【技術分野】
【０００１】
この発明は家庭用でセパレート式空気調和機の前面パネルに関する。
【背景技術】
【０００２】
本体にＬＥＤの点燈により、本体の運転状態を表示する表示部及び試運転又は電源のＯＮ／ＯＦＦ等のスイツチ類を配置したスイツチ部を設けた空気調和機において、前記表示部及びＳＷ部を覆い、全面スモーク色で前記ＳＷ部に対応する面の裏側にシボ加工を施した表示蓋を開閉可能に固定することで、この表示蓋一部品で表示部とスイッチ部を覆うと同時に意匠的にみせたくないスイッチ部のみを見えにくくするように構成したので、構造的に部品点数が少なく安価な空気調和機を得ることができるものだった。（例えば特許文献１参照）
また、空気調和機の前面パネルに高級感を出すために透明で樹脂製の化粧カバーを取り付ける場合には、化粧カバー裏面全体にシボ加工を施すことで、化粧カバー成型加工時に必ず発生するエジェクトピンの跡をめだたないようにしていた。
【特許文献１】平成３年公開実用新案第９７１４３号公報
【発明の開示】
【発明が解決しようとする課題】
【０００３】
ところでこの従来のものは、前者の表示部蓋はスモーク色に形成されていたので、エジェクトピンの突き当て跡は気にならないものであった。
また後者は化粧カバー裏面全体にシボ加工を施すことで、化粧カバーの高級感を損ねるものであり、またコストアップとなるものであった。
【課題を解決するための手段】
【０００４】
この発明はこの点に着目し上記欠点を解決する為、特にその構成を、機器本体と、この機器本体に設けたＬＥＤ、ランプなどからなる発光体と、前記発光体を覆う透明の化粧カバーとを備え、かつこの化粧カバーの前記発光体と対向する表示部の裏面はシボ形状とし、この表示部を前記化粧カバー成型時のエジェクトピン突き当て位置としたものである。
【発明の効果】
【０００５】
この発明によれば、化粧カバーの発光体に対向する部分だけシボ加工を施すことで化粧カバーの高級感を保つことができ、且つ、シボ加工を施す部分は極めて小さな面積にすることが出来コストの上昇を抑えることができるものである。
【発明を実施するための最良の形態】
【０００６】
次に、この発明に係る空気調和機を図面に示された一実施例で説明する。１はセパレート式空気調和機の室内ユニットで、本体ベース２と前方の前面パネル３によって筐体を形成し、この筐体内には熱交換器（図示せず）と送風ファン等（図示せず）を備えている。
前記前面パネル３の更に前面は着脱自在のオープンパネル４によって覆われている。
【０００７】
また前面パネル３は上面に吸込口５を、底面に吹出口６を備え、前記吸込口５の内側には網目状で着脱自在のエアーフィルタ７を左右１対備え、吸込空気に含まれる埃を取り除くものである。
【０００８】
前記熱交換器はフィンチューブ式の熱交換器を使用するものであり、冷房運転時には蒸発器として作用し低温になり、暖房運転時には凝縮器として作用し高温となるものである。
【０００９】
前記送風ファンはクロスフローファンで、熱交換器の内側に配置され、前記吸込口５とエアーフィルタ７と熱交換器と送風ファンを連通して送風経路（図示せず）を形成している。
【００１０】
前記オープンパネル４は白色のＡＢＳ樹脂で形成され、オープンパネル４の右側には縦長の凹部８を形成し、この凹部８に嵌入する透明の化粧カバー９が嵌め込まれている。
また、前記凹部８の下部には器具内部に備えた発光体としてのＬＥＤ１０に対向して丸穴１１が二つ上下に設けられ、凹部８の右側内面と左側内面には前記化粧カバー９係止用の長穴１２設けられ、凹部８の上下端には横長の溝１３が設けられている。
【００１１】
前記ＬＥＤ１０は保護枠１４と共に表示基板１５に取り付けられ、空気調和機の運転やタイマ操作の状態を点灯又は点滅によって、使用者に知らしめるものである。
【００１２】
前記丸穴１１に対向する化粧カバー９の裏面には、縦長円形に凹ませた表示部１６を備え表面をシボ加工により凹凸させ、いわゆるシボ形状に形成することで、化粧カバー９を成型にて製造するときのエジェクトピンの突き当て跡１７によって美観が損なわれないようにしている。
【００１３】
また、前記表示部１６を除く化粧カバー９の裏面全体は緩やかな波目状１８とすることで緩やかに光を反射して比較的平坦なオープンパネル４のにアクセントを付け美観を向上するものである。
【００１４】
また、前記化粧カバー９の左右には複数の突起１９が前記長穴１２に対応して設けられると共に、前記溝１３に対応してリブ２０が設けられ、化粧カバー９が凹部８へしっかりと嵌入されるものである。また化粧カバー９の上下端の肉厚部２１で溝１３の近傍にも、エジェクトピンの突き当て跡２２が設けられているが、肉厚部分なので表側からはほとんど解らず、外観を損ねないものである。
【００１５】
このように、化粧カバー９の発光体に対向する部分だけシボ加工を施すことで化粧カバー９の高級感を保つことができ、且つ、シボ加工を施す部分は極めて小さな面積にすることができコストの上昇を抑えることができるものである。
また化粧カバー９の上下の肉厚部２１にもエジェクトピンの突き当て位置にしたので、化粧カバー９による高級感を保つことができるものである。
【図面の簡単な説明】
【００１６】
【図１】この発明一実施例の斜視図。
【図２】同オープンパネルに化粧カバーを取付た状態の側面の断面図。
【図３】同オープンパネルの要部斜視図。
【図４】同化粧カバーの要部斜視図。
【図５】同要部の断面図。
【符号の説明】
【００１７】
３    前面パネル
４    オープンパネル
８    凹部
９    化粧カバー
１０    ＬＥＤ
１６    表示部
１７    突き当て跡
【図１】
2009198104.tif 000003
【図２】
2009198104.tif 000004
【図３】
2009198104.tif 000005
【図４】
2009198104.tif 000006
【図５】
2009198104.tif 000007
(57)【要約】【課題】  袋本体に通気孔を内側より外側へ孔あけ加工し、外側に向かって尖端状に形設してなるもので、外側からの防塵・防虫・防水効果を一層高めてなる通気孔付包装袋を提供する。【解決手段】  内容物を収納した状態の包装袋を積み重ねたとき、当接する他の包装袋により塞がれない位置に通気孔を穿設してなる包装袋において、袋本体に通気孔を内側より外側へ孔あけ加工し、外側に向かって尖端状に形設してなることを特徴とする通気孔付包装袋。【選択図】図１
2009214931.tif 000002
【特許請求の範囲】
【請求項１】
内容物を収納した状態の包装袋を積み重ねたとき、当接する他の包装袋により塞がれない位置に通気孔を穿設してなる包装袋において、袋本体に通気孔を内側より外側へ孔あけ加工し、外側に向かって尖端状に形設してなることを特徴とする通気孔付包装袋。
【請求項２】
通気孔が微細で、複数個設けてなることを特徴とする請求項１記載の通気孔付包装袋。
【請求項３】
通気孔が、片面のみに設けてなることを特徴とする請求項１又は２記載の通気孔付包装袋。
【請求項４】
通気孔の先端径が、０．１ｍｍ以下とすることを特徴とする請求項１、２又は３記載の通気孔付包装袋。
【請求項５】
袋本体がロール状でチューブ状であることを特徴とする請求項１、２、３又は４記載の通気孔付包装袋。
【発明の詳細な説明】
【技術分野】
【０００１】  本発明は、内容物（例えば米等）を入れ、特に防塵・防虫・防水効果を有する通気孔付包装袋に関するものである。
【背景技術】
【０００２】  従来の技術として、食料品を収容した状態で複数積み重ねたときに、当接する他の食料品包装袋により塞がれない位置に通気孔部を設けてある食料品用包装袋であって、前記通気孔部が、複数の微細孔を集中的に形成してなることを特徴とする食料品用包装袋がある。（特許文献１参照）【０００３】  また、他の従来技術として、チューブ状に形成したプラスチックフィルムによって包装袋を成形する。包装袋の片面に１００μｍ未満の超微細な開口孔を形成して通気領域を設ける。この通気領域は包装袋の側縁に設けられ、被収容物を充填包装した包装袋を流通、貯蔵等する際、包装袋の載置面から通気領域が浮き上がる。これにより、載置する部分が水で濡れていたり、微細な埃があったとして、毛細管現象などによって、開口孔から水分あるいは細かな埃などが包装袋内に浸入することがない包装袋がある。（特許文献２参照）
【特許文献１】特開２００４−１８９３１６号公報
【特許文献２】特開２００５−２１９７８２号公報
【発明の開示】
【発明が解決しようとする課題】
【０００４】  上記前者に及び後者において、微細孔を設けた点については同様であるが、微細孔の形状がまったく異なるものである。
前者は、微細孔の形状が一切表現されておらず、後者においては、図２においてストレート状の開口孔が表示されている。
よって、本発明のように通気孔が内側より外側へ孔あけ加工し、外側へ向かって尖端状に形成しているものではなく、本発明のような防塵・防虫・防水効果は得られないものである。【０００５】  本発明は、このような従来の構成が有していた問題点を解決しようとするものであり、袋本体に通気孔を内側より外側へ孔あけ加工し、外側に向かって尖端状に形設してなるもので、外側からの防塵・防虫・防水効果を一層高めてなる通気孔付包装袋を提供することを目的とする。
【課題を解決するための手段】
【０００６】  本発明は、上記目的を達成するために、内容物を収納した状態の包装袋を積み重ねたとき、当接する他の包装袋により塞がれない位置に通気孔を穿設してなる包装袋において、袋本体に通気孔を内側より外側へ孔あけ加工し、外側に向かって尖端状に形設してなる。
通気孔が微細で、複数個設けてなる。
通気孔が、片面のみに設けてなる。
通気孔の先端径が、０．１ｍｍ以下とする。
袋本体がロール状でチューブ状であることを特徴とする。
【発明の効果】
【０００７】１）、袋本体に通気孔を内側より外側へ孔あけ加工し、外側に向かって尖端状に形設することにより、防塵・防虫・防水効果を一層向上させてなり、特に水がかかったとき、通気孔と通気孔の間に流れ、通気孔から入り込むことはない。
２）、通気孔が微細（先端径が０．１ｍｍ以下）で、長手方向に沿って複数個設けることにより優れた通気性を合わせて有するものである。
３）、通気孔を片面のみとすることにより、下方に位置させることにより、ホコリや雨水等の潜入を防ぐと共に、表側のデザインを邪魔することなく美的に表現できる。
４）、袋本体がロール状でチューブ状であることにより、量産可能となり、安価に提供できる。
【発明を実施するための最良の形態】
【０００８】  通気孔付包装袋１は、チューブ状の一端をカットＫし、他端をウェルダーにて溶着Ｙしてなる袋本体２の両側長手方向（積み重ねたとき、当接する他の袋本体２により塞がれない位置）に、複数の通気孔３を内側Ｕより外側Ｓへ孔あけ加工（針状のピンを複数束ねた治具で押圧する）することにより、外側に向かって尖端状に形設してなるもので、例えば突出量Ｔは１ｍｍ前後とし、尖端径ＳＫを０．１ｍｍとするが、必要に応じて０．５ｍｍ前後でもよい。（上下両面に通気孔３…を設けてもよい）【０００９】  このように、加工した通気孔付包装袋１の使用例として、通気孔付包装袋１の一端より例えば米ＫＭを入れ、一端を溶着する。
この状態で、通気孔付包装袋１を積み重ねたとき、内部の空気が内側Ｕより外側Ｓへ排出される
なお、外側Ｓよりホコリや虫、水等が落下しても尖端状の穿設した通気孔３…からは内側Ｕに入りにくいものである。（通気孔３と通気孔３の間に入るため）【００１０】  なお、上記実施例において、袋本体の材質は、ポリエチレンフィルム・ナイロンフィルム・ポリエステルフィルム等必要に応じて設定すればよい。
また、通気孔の数やピッチについても、特に限定するものではない。
さらに、中に入れる内容物も米に限定するものではなく、肥料など他のものでもよい。
さらにまた、袋本体はチューブ状が加工性においてメリットがあるが、他の形態の袋でもよい。
【図面の簡単な説明】
【００１１】
【図１】本発明の一実施例を示す通気孔付包装袋の平面図。
【図２】本発明の一実施例を示す通気孔付包装袋の正面図。
【図３】本発明の一実施例を示す通気孔付包装袋の通気孔の拡大断面図。
【図４】本発明の一実施例を示す通気孔付包装袋の使用状態図。
【符号の説明】
【００１２】  １−−−−通気孔付包装袋
２−−−−袋本体
３−−−−通気孔
Ｋ−−−−カット
Ｙ−−−−溶着
Ｕ−−−−内側
Ｓ−−−−外側
Ｔ−−−−突出量
ＳＫ−−−尖端径
ＫＭ−−−米
【図１】
2009214931.tif 000003
【図２】
2009214931.tif 000004
【図３】
2009214931.tif 000005
【図４】
2009214931.tif 000006
(57)【要約】      （修正有）【課題】駅間距離が異なる場合でも、運行の都合上、かかる走行時間を同一にする。【解決手段】一つのラインあるいは環状をなす重力鉄道において、各駅間を走るのに、要する時間を同一化させるため、駅間距離が長い部分は、トンネルの掘り込みの深さを大きくし、列車の速度を上げ、そのことによって、他と歩調を合わせるようにした。【選択図】なし【特許請求の範囲】
【請求項１】
一つのラインあるいは環状をなす重力鉄道において、各駅間を走るのに、要する時間を同一化させるため、駅間距離が長い部分は、トンネルの掘り込み深さを大きくし、列車の速度を上げ、そのことによって、他と歩調を合わせることを特徴とする重力鉄道。
【発明の詳細な説明】
【技術分野】
【０００１】本発明は鉄道の一種である重力鉄道の作り方に関するものである。
【背景技術】
【０００２】重力鉄道が存在しないので、背景技術というべきものがない。
【発明の開示】
【発明が解決しようとする課題】
【０００３】重力鉄道の路線の選定にあたって、３ｋｍ間隔で駅を設けようとしても、実際問題として、土地の確保がどうしても出来ないことがある。  路線を曲げたりしても解決できない場合は、そこだけ駅間の間隔を延ばしたりすることになる。しかしそうすると、そこだけ、ほかより時間がかかることになる。重力鉄道は、最過スケジュールで運行されるとき、すべての駅に停まっている電車が同時スタートするということが、要求され、それがごく普通の方法になるため、他と歩調が合わず、遅れる電車がいると、それに全部が合わせなければならなくなる。これはたいへん不都合なことである。
【課題を解決するための手段】
【０００４】  距離が長い部分は、そこだけトンネルの掘り込み深さを上げ、スピードを他より速くし、他と同一時間で、駅間を走行できるようにした。
【発明の効果】
【０００５】  これでいっせいにスタート出来、他の電車が待たないですむようになった。いっせいに動かすということは、ばらばらに運行するより、はるかにコントロールしやすく、事故率が低くなるのである。重力鉄道は、将来においても、スピードが速く各駅感１〜２分しかかからないので、上下の電車のすれ違いは、駅のところでおこなうということになり、高速がでる地下の部分は単線になる。従って、その部分での正面衝突は絶対に避けなければならない。これを避ける方法は、偶数スパンはなれた駅からの全体スタートという方法を、以前に同出願人が提案した。これを実現させるためにも、同一軌道にある、すべての電車が歩調を合わせて、運行するということが、是非必要になる訳である。
【発明を実施するための最良の形態】
【０００６】ライン上に２ｋｍ間隔で駅を造ろうとしたとき、計画通りの場所に駅を設ける土地が取得できないとき、駅の部分で５度ほど進行方向を変えれば、次の駅までの距離の約一割、２００ｍほどは横の方向にずれるので、その範囲で別な候補地を探すことは出来る。しかしこれらを汎用すると、路線はだんだんジグザグになり、好ましいことではない。そこで掘り込みの深さを１５０ｍだったのが、２００ｍにしたりすれば、最下部の時速が、１９７ｋｍから２２７ｋｍといったように上げられ、より遠くの地点に、駅を設けられるということになる。坂のスロープをより急にしても、ある程度は、時間の短縮が出来るが、ほかの面で引き起こす問題が多い。
(57)【要約】【課題】  自動車のホイールナットが、硬く締まりすぎていたり、非力なため適度な締め付けが得られない時、十字レンチに接続し、スムーズにゆるめたり、締めたりする十字レンチ補助具を提供する。【解決手段】  十字レンチと同等の太さ、材質の２本の金属棒を本体〔１〕とし、２本の本体〔１〕両端に十字レンチの各レンチ部にはめ込める六角柱を成型しレンチ接合部〔２〕とする。それぞれのレンチ接合部〔２〕の内側に脚を掛けるための足がかり〔３〕と手で回すための操作部〔４〕を設置する。各操作部内側端より、本体〔１〕を両端逆に同一の鈍角に折り曲げ、真っ直ぐな棒の両端が折れ曲がり、操作部〔４〕以降が平行に接続されたような形状をとる。以上の特徴を持つ十字レンチ補助具を、必要時に十字レンチに接続する。【選択図】図１
2009214282.tif 000002
【特許請求の範囲】
【請求項１】
金属性の棒２本をもって本体〔１〕とし、それぞれ両端に十字レンチの深さと同等の長さの正六角柱を成型しレンチ接続部〔２〕とする。それぞれの正六角柱は、一本は一方の端が１７ｍｍサイズ、もう一方が２１ｍｍサイズとする。もう一本は一方の端が１９ｍｍサイズ、もう一方が２３ｍｍサイズとする。各六角柱の根元に２３ｍｍサイズより大きな正六角形盤を設置し、足がかり〔３〕とする。各円盤の内側、片手で握れる程度の幅を設け操作部〔４〕とする。各操作部内側端より、本体〔１〕を両端逆に同一の鈍角に折り曲げ、真っ直ぐな棒の両端が折れ曲がり、操作部〔４〕以降が平行に接続されたような形状をとる。
以上の構成からなる、十字レンチ加圧補助具。
【発明の詳細な説明】
【技術分野】
【０００１】
この発明は締まりすぎて動きづらくなったホイールナットをはずしたり、女性や老人がタイヤ交換をせざるを得ないとき、楽に必要な力を加えることの出来る、十字レンチ補助器具である。
【背景技術】
【０００２】
従来運転中のトラブルや、自分でタイヤ交換をする場合、ホイールナットの付け外しには十字レンチを車に乗せておき、使用することが多かった。
【発明の開示】
【発明が解決しようとする課題】
【０００３】
これは次のような問題があった。
十字レンチは安価で便利ではあるが、ホイールナットが硬く締まりすぎていた場合、非力な老人・女性などの場合、緩められない事が多々ある。又、締め付ける場合も適度な締め付けが得られないことも多い。電動工具等もあるが、高価であり、緊急時にのみ使用することの多い老人・女性等が車に常備するには向いていない。
【課題を解決するための手段】
【０００４】
両サイドに十字レンチの隣り合ったレンチ部に合う六角柱のレンチ接合部〔２〕を持つ１７−２１と１９−２３サイズの２種類の金属性の棒をもつて本体〔１〕とし、それぞれのレンチ接合部〔２〕の内側に脚を掛けるための足がかり〔３〕と手で回すための操作部〔４〕を設置する。各操作部内側端より、本体〔１〕を両端逆に同一の鈍角に折り曲げ、真っ直ぐな棒の両端が折れ曲がり、操作部〔４〕以降が平行に接続されたような形状をとる。
本発明は以上の構成よりなる十字レンチ補助具である。
【発明の効果】
【０００５】
ホイールナットに十字レンチを接続し、両サイドのレンチ部にそれぞれサイズのあった補助具を差込み、両操作部を握り回すか、片方を握り、もう一方の補助具の足がかりに足を掛け、引っ張りながら踏み込むことにより、非力であっても容易にホイールナットは回る。楽に回るようになったら、補助具を外し十字レンチのみで、外すことが出来る。締める場合も十字レンチで締め、硬くなったら補助具をセットし、締める。補助具が地面に着き、回らなければ裏返して回す。締めが硬いとき、硬く締めたいとき、必要な場面で装着することにより、梃子の原理、及び全身の力を使うため非力でも急激な加重を加えることなく操作でき無理なく外し、適正な締めを確保できる。又構造が簡単なため安価で出来、場所もとらない。
【発明を実施するための最良の形態】
【０００６】
十字レンチと同等の素材、太さの円筒もしくは円柱２本をもって本体〔１〕とする。それぞれ両端に十字レンチのレンチ部と同等の長さの正六角柱を成型しレンチ接続部〔２〕とする。一本は一方の端が１７ｍｍサイズ、もう一方が２１ｍｍサイズもう一本は一方の端が１９ｍｍサイズ、もう一方が２３ｍｍサイズとする。各六角柱の根元に７０ｍｍサイズほどの正六角形盤を設置し、外延部にラバーを接着し、足がかり〔３〕とする。各円盤の内側、片手で握れる程度の幅をラバーで覆い操作部〔４〕とする。各操作部内側端より、本体〔１〕を両端逆に同一の鈍角に折り曲げ、真っ直ぐな棒の両端が折れ曲がり、操作部〔４〕以降が平行に接続されたような形状をとる。
本発明は以上のような構造である。
これを使用するときはホイールナットに十字レンチを設置し、ハンドルとなる２本のレンチにそれぞれ合ったサイズのレンチ接続部を設置しゆるめもしくは締め付ける。あくまでも締め付けが強すぎる時のゆるめ、もしくは適正な締め付けを要するときに使用するもので、簡単にホイールナットが回っているときは使用しない。使用方法は各個人の力に合わせ、両サイドの操作部を握って使用するか、片方の操作部を引きながら、もう一方の足がかりを踏み込む。一本のみを接続し、その操作部と反対側の十字レンチハンドル部を握って操作する。
脱落防止のため、レンチ接続部の先端及び、その側面５ｍｍ程度にキャップのように薄くラバーを塗布することも出来る。もしくは、レンチ接続部先端に強力な磁石を埋め込むことも考えうる。
【図面の簡単な説明】
【０００７】
【図１】本発明の側面図である。
【図２】本発明のレンチ接続部等の斜視図である。
【図３】本発明の足がかり及び、操作部の裏面図である。
【図４】本発明のセット図である。
【符号の説明】
【０００８】
１  本体
２  レンチ接続部
３  足がかり
４  操作部
【図１】
2009214282.tif 000003
【図２】
2009214282.tif 000004
【図３】
2009214282.tif 000005
【図４】
2009214282.tif 000006
(57)【要約】【課題】本発明は、雑誌を本棚に整理収納し易くし、また目次やメモを記入できるようにして自分なりに雑誌の内容を整理し管理し易くすることを基本的課題とする。また従来品の雑誌カバーを利用した時のような、ページのめくり難さや、カバーの掛け外すしの手間といったことを解消する。【解決手段】本発明は、厚紙（１）、（３）に自分なりの雑誌の目次やメモを記入できる線（２）を有した物であり、雑誌の収納時は本発明を雑誌に挿み込んで利用し、雑誌の閲覧時は本発明を雑誌から取外して利用することで上記の課題を解消する。【特許請求の範囲】
【請求項１】
厚紙（１）に、自分なりの雑誌などの目次やメモを記入できる線（２）を有した物であり本発明を雑誌などに挿むことで雑誌に硬さを持たせ、雑誌を本棚などの中に整理収納し易くした物。
【請求項２】
厚紙（３）に、自分なりの雑誌などの目次やメモを記入できる線（２）を有した物であり本発明を雑誌などに挿むことで雑誌に硬さを持たせ、雑誌を本棚などの中に整理収納し易くし、また厚紙（３）を雑誌などに挿み込んだ時、見出し記入部（５）の部分が雑誌からはみ出すことで、見出しなどを記入できるようにした物であり、厚紙（３）を雑誌などに挿み込んだ時、欠き込み部（４）が雑誌の中に埋没することで雑誌の指の取っ掛かり部となり本棚の中などに雑誌が収納された状態から取り出し易くした物。
【発明の詳細な説明】
【技術分野】
【０００１】本発明は、雑誌などの整理収納具に関する物であり、厚紙（１）、（３）に自分なりの雑誌などの目次やメモを記入できる線（２）を有した物であり本発明を雑誌などに挿むことで雑誌に硬さを持たせ、雑誌を本棚などの中に整理収納し易くし、また厚紙（３）を雑誌などに挿み込んだ時、見出し記入部（５）の部分が雑誌からはみ出すことで、見出しなどを記入できるようにした物であり、厚紙（３）を雑誌などに挿み込んだ時、欠き込み部（４）が雑誌の中に埋没することで雑誌の指の取っ掛かり部となり本棚の中などに雑誌が収納された状態から取り出し易くした物である。
【背景技術】
【０００２】従来から、雑誌の整理収納具として、ある程度厚みのある透明プラスチック製の雑誌を外から覆うカバータイプの物が利用されている。
【発明の開示】
【発明が解決しようとする課題】
【０００３】しかし従来のような、ある程度厚みのあるプラスチック製の雑誌を外から覆うカバータイプの物を使うと、雑誌の表紙部分にカバーの厚みができることで、グラフィックや写真などを瞬時に見るための雑誌本来の特性としてのページのめくり易さを損なってしまう。また雑誌にカバーを掛けたり、雑誌を捨てる時にカバーを外す手間がかかった。更に雑誌の表紙を見せるために透明のプラスチックのカバーが使われていたことから、紙製品でできた物と違い、気軽に自分なりの目次を書き込むことはできず、罫線を引くなどして目次覧を作るなど、得にそのような機能を有している物はなかった。このような不都合を解消することを課題とする。
【課題を解決するための手段】
【０００４】この課題を解決するため請求項１の発明は、厚紙（１）に、自分なりの雑誌などの目次やメモを記入できる線（２）を有した物であり本発明を雑誌などに挿むことで雑誌に硬さを持たせ、雑誌を本棚などの中に整理収納し易くすることができる。また雑誌を本棚などに収納する時に厚紙（１）を挿み込むだけなので、雑誌を見る時に本発明を抜き取ることで雑誌の表紙に厚みができることはなく、雑誌のページのめくり易さを損なうことはない。また厚紙（１）を挿み込むだけなのでカバーを掛ける面倒がなく、本発明が紙製品でできていることから、雑誌を捨てる時に一緒に捨てることができるためカバーを外す手間がかからない。また自分なりの雑誌などの目次やメモを記入できる線（２）を有していることから、気軽に自分なりの雑誌の目次を書くことができる。【０００５】この課題を解決するため請求項２の発明は、厚紙（３）に、自分なりの雑誌などの目次やメモを記入できる線（２）を有した物であり本発明を雑誌などに挿むことで雑誌に硬さを持たせ、雑誌を本棚などの中に整理収納し易くし、また厚紙（３）を雑誌などに挿み込んだ時、見出し記入部（５）の部分が雑誌からはみ出すことで、見出しなどを記入できるようにした物であり、厚紙（３）を雑誌などに挿み込んだ時、欠き込み部（４）が雑誌の中に埋没することで雑誌の指の取っ掛かり部となり本棚の中などに雑誌が収納された状態から取り出し易くすることができる。また雑誌を本棚などに収納する時に厚紙（３）を挿み込むだけなので、雑誌を見る時に本発明を抜き取ることで雑誌の表紙に厚みができることはなく、雑誌のページのめくり易さを損なうことはない。また厚紙（３）を挿み込むだけなのでカバーを掛ける面倒がなく、本発明が紙製品でできていることから、雑誌を捨てる時に一緒に捨てることができるためカバーを外す手間がかからない。また自分なりの雑誌などの目次やメモを記入できる線（２）を有していることから、気軽に自分なりの雑誌の目次を書くことができる。
【発明の効果】
【０００６】本発明を利用することにより、雑誌に硬さを持たせ、雑誌を本棚などの中に整理収納し易くすることができる。【０００７】また本発明の自分なりに雑誌などの目次やメモを記入できる線（２）を利用することで、自分なりに雑誌の内容を整理し管理できる。【０００８】また本発明の見出し記入部（５）を利用することで、雑誌が本棚に入った状態から、自分なりに雑誌の内容を整理し管理できる。【０００９】また従来の雑誌を外から覆うカバータイプの物を利用する時と違って、雑誌の表紙部分にカバーの厚みができることがなく、グラフィックや写真などを瞬時に見るための雑誌本来の特性としてのページのめくり易さを損なうことがない。【００１０】また本発明を雑誌に挿んで利用するため雑誌にカバーを掛ける手間はなく、本発明が紙製品でできているため、雑誌を捨てる時に本発明を一緒に捨てることができるため、カバーを外す手間がかからない。
【発明を実施するための最良の形態】
【００１１】図１は、厚紙（１）に、自分なりの雑誌などの目次やメモを記入できる線（２）を有した物であり本発明を雑誌などに挿むことで雑誌に硬さを持たせ、雑誌を本棚などの中に整理収納し易くした物。【００１２】図２は、厚紙（３）に、自分なりの雑誌などの目次やメモを記入できる線（２）を有した物であり本発明を雑誌などに挿むことで雑誌に硬さを持たせ、雑誌を本棚などの中に整理収納し易くし、また厚紙（３）を雑誌などに挿み込んだ時、見出し記入部（５）の部分が雑誌からはみ出すことで、見出しなどを記入できるようにした物であり、厚紙（３）を雑誌などに挿み込んだ時、欠き込み部（４）が雑誌の中に埋没することで雑誌の指の取っ掛かり部となり本棚の中などに雑誌が収納された状態から取り出し易くした物。
【産業上の利用可能性】
【００１３】本発明は、工業的に量産することが可能であるため産業上の利用可能性を有す。
【図面の簡単な説明】
【００１４】
【図１】本発明請求項１の全体図
【図２】本発明請求項２の全体図
【符号の説明】
【００１５】（１）厚紙
（２）自分なりの雑誌などの目次やメモを記入できる線
（３）厚紙
（４）欠き込み部
（５）見出し記入部
【図１】
2009214527.tif 000002
【図２】
2009214527.tif 000003
(57)【要約】      （修正有）【課題】補強繊維をコンクリートコンクリート構造物に混入する際、化学短繊維の場合は比重が小さいため均等に分散するのが困難であり、長繊維の場合はファイバーボールを形成するために均一分散が困難であるため、コンクリート表層部において、短繊維を均一に混入し、コンクリートの表層部の補強を確実に行う方法を提供する。【解決手段】コンクリート補強用短繊維を型枠構造物１のコンクリートに接する内面に接着剤２により仮固定した後に、生コンクリート４を流し込み、表層部に短繊維を均一に混入し、コンクリート表層部の補強を確実に行う。短繊維として直径が１０μｍ〜３０μｍ、長さが３ｍｍ〜１２ｍｍのポリアミド樹脂の繊維を使用する。【選択図】図１
2009214526.tif 000002
【特許請求の範囲】
【請求項１】
短繊維をコンクリートに混入することによりコンクリートを補強する方法において、型枠構造物のコンクリートに接する内面に短繊維を接着剤により仮固定し、生コンクリートを流し込んで、コンクリート表層部に短繊維を均一に混入させることを特徴とするコンクリート補強方法。
【請求項２】
型枠構造物に仮固定する短繊維として、直径が１０μｍ〜３０μｍ、長さが３ｍｍ〜１２ｍｍのポリアミド樹脂の繊維を使用する請求項１に記載のコンクリート補強方法。
【発明の詳細な説明】
【技術分野】
【０００１】  本発明は、コンクリート構造物の強度、靱性等を補強する目的でコンクリート内に混入するコンクリート補強用短繊維に関し、さらに詳しくは、コンクリートの表層部に補強用短繊維を混入させる方法に関するものである。
【背景技術】
【０００２】  従来より、コンクリート構造物には、引張強度や曲げ強度、ひび割れ強度、靱性等を改善すべく、種々の化学繊維などの混入が広くなされている。
【特許文献１】特許登録第２５１０６７１号
【特許文献２】特開２００６−３７２４１
【発明の開示】
【発明が解決しようとする課題】
【０００３】  しかし、コンクリート補強繊維をコンクリートに混入する場合、化学短繊維はその比重が水よりも小さいものが多いため、それ自体が流し込まれた生コンクリートの上面（表面）に浮上し、均等に分散しにくいという問題がある。また、化学短繊維を用いて補強効果を高めるためには、長めの短繊維を使用する必要がある。ところが、長めの繊維は非常にもつれ易く、ファイバーボール（いわゆる毛玉）を形成し、コンクリート中に均一に分散しにくいという問題がある。【０００４】  本発明の目的は、上記問題点をコンクリート表層部において、短繊維を均一に混入し、コンクリートの表層部の補強を確実に行う方法を提供することにある。
【課題を解決するための手段】
【０００５】  上記課題を解決するため、コンクリート補強用短繊維を型枠構造物のコンクリートに接する内面に接着剤により仮固定した後に、生コンクリートを流し込むことを特徴とする。【０００６】  上記コンクリート補強短繊維に、コンクリートと親和性の高い直径が１０μｍ〜３０μｍ、長さが３ｍｍから１２ｍｍのポリアミド樹脂の短繊維を使用する。
【発明の効果】
【０００７】  コンクリート表層部に短繊維が均等に混入されることにより、コンクリートのひび割れ強度、靱性が改善されクラックの発生を低減することができる。【０００８】  コンクリートと親和性の高いポリアミド樹脂の短繊維をコンクリート補強用短繊維に使用することにより、打設時に発生する材料分離や水の移動を防止しコンクリート表層部においてブリーディングを低減し、あばたの発生と初期乾燥ひびわれを抑制することができる。【０００９】  また、コンクリート表層部の密度が高まり、塩、塩素化合物、二酸化炭素等の浸透に対する抵抗力が増加しコンクリートの中性化の防止や寒冷地における凍害の発生を抑制することができる。
【発明を実施するための最良の形態】
【００１０】  以下、本発明の実施例を図面に基づいて説明する。【００１１】  図１は本発明の実施例でコンクリート表層部の補強の構成を示す。【００１２】  図に示す、型枠構造物１に接着剤２を塗布し、短繊維３を仮固定した後に生コンクリート４を流し込む構成である。
【図面の簡単な説明】
【００１３】
【図１】コンクリート表層補強の実施方法を示した段面図である。
【図２】コンクリート表層補強の実施方法を示した平面図である。
【符号の説明】
【００１４】  １    型枠構造物
２    接着剤
３    ナイロン短繊維
４    生コンクリート
【図１】
2009214526.tif 000003
【図２】
2009214526.tif 000004
(57)【要約】【課題】▲１▼  浄水場から副産物として出てくる生成ペレットを畜産のカルシュウム分として使用する、今までは建設材料の骨材として使用されていた。▲２▼  鶏卵の卵の殻が弱く生産農家は悩まされていた。【解決手段】浄水場から副産物として出てくる生成ペレットを飼料に混ぜ食べさせる事で解決できる。【特許請求の範囲】
【請求項１】
・  浄水場の原水（硬水）を軟水化するために出てくる生成ペレット（炭酸カルシュウム）を飼料に混ぜ家畜のカルシュウム分としての技術は私の権利です。
・  県企業局等から硬水から軟水化する時に副産物として発生する生成ペレット（炭酸カルシュウム）を利用します
・  製造方法は家畜の飼料（鶏、豚、牛その他）に粒度を整え乾燥させ飼料に適量（生成ペレット）混ぜて使用します。
・  生成ペレットは９８．８％がカルシュム分です。
【発明の詳細な説明】
【技術の分野】
【０００１】この発明は浄水場から副産物として出てくる生成ペレットの有効利用と家畜のカルシュウム分栄養に関するものである。
【背景技術】
【０００２】従来浄水場から発生する生成ペレットは建設材料の骨材として使用してきました、これを家畜のカルシュウムとして餌に混入することで飼料の安価を計るために開発いたしました。
【発明開示】
【発明が解決しようとする課題】
【０００３】従来は畜産のカルシュウム分は琉球石灰を適度な粒度に砕き使用していました。
鶏卵の殻が弱く生産農家は悩みの種でした、浄水場から出る生成ペレットはカルシュウム分が高く（カルシュウム分９９．８％）実証試験の結果、卵の殻の強度が上がることが分かり、浄水場から発生する生成ペレットを有効利用する事でこれを解決する事を考えました。
【発明が解決するための手段】
【０００４】浄水場から副産物として出てくる生成ペレットをカルシュウム分として家畜の飼料に混ぜ与える。
【発明の効果】
【０００５】本発明で畜産の振興に寄与できると思います。
【発明の効果】
【０００６】本発明を実施するために飼料会社と提携していきます。
【図面】
【０００７】特にナシ